(57)【要約】【課題】発光ダイオードの光を利用して良好に合図でき、かつ、簡単な操作で迅速に警笛音を発信して通報できる合図灯を提供する。【解決手段】電池収容部１２を有するグリップ１の先端側に取付筒部２を介して取付けた合図灯用透光性パイプ３と、音放出孔４１を有し、パイプ３の先端に取付けた蓋部４と、第１のスイッチ２２を介して電池１１と電気的に接続させてパイプ３内に任意の間隔で複数個設けた第１の発光ダイオード５ａ…５ｎと、第２のスイッチ２３を介して電池１１と電気的に接続させて蓋部４内に設けられ、通電させることにより警笛用の高音を発生する警笛用高音発生器６とを備える。スイッチボタン２４を操作して第１のスイッチをＯＮ・ＯＦＦし、スイッチボタン２５を操作して第２のスイッチをＯＮ・ＯＦＦする。【選択図】図１
0003122129.tif 000002
【実用新案登録請求の範囲】
【請求項１】
電池収容部を有するグリップと、
前記グリップの先端側に取付筒部を介して取付けた合図灯用透光性パイプと、
音放出孔を有し、前記パイプの先端に取付けた蓋部と、
第１のスイッチを介して電源部と電気的に接続させて前記パイプ内に任意の間隔で複数個設けた第１の発光ダイオードと、
第２のスイッチを介して前記電源部と電気的に接続させて前記蓋部内又は前記パイプ内の先端部に設けられ、通電させることにより高音を発生する警笛用高音発生器と、
を備えていることを特徴とする、合図灯。
【請求項２】
請求項１に記載の合図灯において、
前記第１のスイッチを介して前記電源部と電気的に接続させて前記取付筒部に設けられ、前記筒部外に向けて光を照射させるように構成した１個又は複数個の第２の発光ダイオードを、さらに備えていることを特徴とする、合図灯。
【請求項３】
請求項１又は２に記載の合図灯において、
前記第１及び第２の発光ダイオードは連続点灯及び点滅を制御する電子制御回路及び前記第１のスイッチを介して前記電源部と電気的に接続され、
前記第１のスイッチは連続点灯用スイッチと点滅用スイッチとを有する点灯・点滅切替スイッチで構成され、
前記点滅用スイッチを閉成することにより、前記第１の発光ダイオードだけを点滅させ、前記点灯用スイッチを閉成することにより、前記第１及び第２の発光ダイオードを同時に連続点灯させるように構成したことを特徴とする、合図灯。
【考案の詳細な説明】
【技術分野】
【０００１】
本考案は、主に警察官等が車両検問や交通整理等において合図などの際に使用する合図灯に関する。
【背景技術】
【０００２】
従来、車両検問や交通整理等に際し、車両を停止させ、或いは誘導する等、合図する手段として、一般に合図灯が使用されている。従来の合図灯として、電池収容部を有するグリップの先端側に取付筒部を介して合図灯用透光性パイプを取付け、前記パイプ内に複数個の発光ダイオードを設けてなるものが一般に知られている（例えば、特許文献１〜２参照）。
前記合図灯はスイッチを操作して前記発光ダイオードを点滅又は連続点灯させ、或いは点滅と点灯とに切替可能に構成されている。そして、警察官等は前記合図灯を使用して合図し、車両停止や誘導等の指示を行なっている。
【０００３】
しかるに、前記合図灯で合図しても、車両の運転者等が気付かない場合等がある。このような際には、警察官等は携帯している警笛（ホイッスル）を鳴らして対象者に通報しているが、警笛を吹いて鳴らすためには労力と手間が掛かると共に作業が煩雑になる。のみならず、時には警笛による通報が間に合わない場合も生じる。
【特許文献１】特開平１０−４０７０２号公報
【特許文献２】特開２００３−１３２７６号公報
【考案の開示】
【考案が解決しようとする課題】
【０００４】
本考案は上記のような実情に鑑みてなされたもので、発光ダイオードから照射される光を利用して合図できると共に簡単な操作で迅速に警笛音を発信して通報することができる合図灯を提供することを目的とするものである。
【課題を解決するための手段】
【０００５】
上記目的を達成するため、本考案のうちの１つの考案（第１の考案）の合図灯は、電池収容部を有するグリップと、前記グリップの先端側に取付筒部を介して取付けた合図灯用透光性パイプと、音放出孔を有し、前記パイプの先端に取付けた蓋部と、第１のスイッチを介して電源部と電気的に接続させて前記パイプ内に任意の間隔で複数個設けた第１の発光ダイオードと、第２のスイッチを介して前記電源部と電気的に接続させて前記蓋部内又は前記パイプ内の先端部に設けられ、通電させることにより高音を発生する警笛用高音発生器と、を備えていることを特徴とする。
【０００６】
本考案の合図灯はグリップを手で握って使用するもので、第１のスイッチを操作することにより、第１の発光ダイオードから光を照射させることができる。また、第２のスイッチを操作することにより、警笛用高音発生器から強く響く高音（警笛音）を発生し、この警笛音は蓋部の音放出孔から外部に放出する。
したがって第１のスイッチを操作（ＯＮ）して発光ダイオードから光を照射させ、この状態で合図灯を使用して合図し、車両停止やや誘導等の指示を良好に行なうことができる。また、合図灯で合図しても気付かない場合等、警笛の所要時には、第２のスイッチを操作（ＯＮ）して前記高音発生器から警笛音を発生して通報し、指示することができる。
【０００７】
本考案のうち他の１つの考案（第２の考案）は、第１の考案の合図灯において、前記第１のスイッチを介して前記電源部と電気的に接続させて前記取付筒部に設けられ、前記筒部外に向けて光を照射させるように構成した１個又は複数個の第２の発光ダイオードを、さらに備えていることを特徴とする。
【０００８】
本考案のうち他の１つの考案（第３の考案）は、第１又は第２の考案の合図灯において、前記第１及び第２の発光ダイオードは連続点灯及び点滅を制御する電子制御回路及び前記第１のスイッチを介して前記電源部と電気的に接続され、前記第１のスイッチは連続点灯用スイッチと点滅用スイッチとを有する点灯・点滅切替スイッチで構成され、前記点滅用スイッチを閉成することにより、前記第１の発光ダイオードだけを点滅させ、前記点灯用スイッチを閉成することにより、前記第１及び第２の発光ダイオードを同時に連続点灯させるように構成したことを特徴とする。
【考案の効果】
【０００９】
本考案によれば次のような効果を奏する。（１）第１のスイッチを操作し、第１の発光ダイオードをＯＮにして使用することにより、車両を停止させ、或いは誘導する等、良好に合図して指示することができる。（２）第２のスイッチを操作することにより警笛用高音発生器から警笛音を発生するので、警笛が必要な際には、簡単かつ迅速に警笛音を発信して通報することができる。（３）第２及び第３の効果によれば、第１のスイッチを操作して第２の発光ダイオードをＯＮにすると、この発光ダイオードから取付筒部外に向けて光が照射される。したがって、第２及び第３の考案によれば前記効果に加え、懐中電灯等を使用しなくても、第２の発光ダイオードから照射される光の照明により免許証の確認作業等を容易に行なうことができる。
【考案を実施するための最良の形態】
【００１０】
以下、図面を参照して本考案の移動式柵の最良の実施の形態の一例を説明する。
【００１１】
図１は本考案の合図灯の一実施の形態を示す図であって、同図（ａ）は全体構成の概要を示す側面図、同図（ｂ）は一部を拡大して示す縦断面図、図２は同上合図灯の基端部側の部分を拡大し、一部を断面で示す側面図、図３は同１（ｂ）のＡ−Ａ線拡大断面図、図４は同上合図灯に採用した蓋部の一例を示す正面図、図５は同上合図灯に採用した第１の発光ダイオードの一例を示す側面図、図６は同上合図灯に採用されている回路図の一例を示す説明図である。
【００１２】
上記図１ないし図６において、この実施の形態の合図灯は、グリップ１と、取付筒部２と、合図灯用透光性パイプ３と、蓋部４と、複数個の第１の発光ダイオード５ａ…５ｎと、警笛用高音発生器６と、を備えている。
【００１３】
グリップ１は硬質プラスチック等で構成され、図２に示すように、所望数の電池１１を収容する電池収容部１２を有している。この実施の形態のグリップ１は、取付筒部２の基端部に、グリップ１の先端を着脱自在に螺合１３して取付けてある。１４は収容部１２内の後端に設けたコイルスプリング、１５はグリップ１の後端外周に突設した鍔部、１６は紐等を取付ける紐取付部を示す。
【００１４】
取付筒部２は硬質プラスチック等で構成されている。取付筒部２内には、トランジスタ等を備え、第１の発光ダイオード５ａ…５ｎの連続点灯及び点滅を制御する電子制御回路２１と、第１のスイッチ２２、及び第２のスイッチ２３が内蔵されている。この実施の形態の第１のスイッチ２２は、図６に示すように、点滅用スイッチ２２ａと、連続点灯用スイッチ２２ｂと、ＯＦＦ点２２ｃとを有する点灯・点滅切替スイッチで構成されている。２４は第１のスイッチ２２を操作するスイッチボタン、２５は第２のスイッチ２３を操作するスイッチボタンを示す。前記第１のスイッチ２２はスイッチボタン２４を押動して切替操作するように構成されている。
【００１５】
合図灯用透光性パイプ３は硬質かつ透光性のポリカーボネートや硬質有色透明プラスチック等で構成され、取付筒部２の先端部に嵌合固定して取付けてある。この実施の形態では、前記パイプ３の内周壁面の略全体に着色又は無着色の透光性の再帰反射シート３１及び反射透明ポリカーボネートフィルムや透明プラスチックフィルム等のフィルム３２が添装されている。
【００１６】
前記蓋部４は硬質プラスチック等で構成され、音放出孔４１を有している。蓋部４はパイプの先端に取付けて設けてある。実施の形態の蓋部４は短筒キャップ状に形成され、パイプ３の先端に嵌合固定して設けてある。
【００１７】
第１の発光ダイオード５ａ…５ｎの数量は特に限定するものではなく、任意に決定できる。例えば５個ないし２０個程度の範囲を挙げることができる。実施の形態の各発光ダイオード５ａ…５ｎは、図５に最も詳細に示すように、先端を球状面に形成した円柱体５２の基端からリード線５３ａ，５３ｂを取り出し、円柱体５２から赤色系等の光を放射する有色光発光ダイオード（有色光ＬＥＤ）を採用している。但し、赤色系以外の有色光発光ダイオード、或いは白色光発光ダイオードを採用することもできる。第１の発光ダイオード５ａ…５ｎは、電子制御回路２１及び第１のスイッチ２２を介して電源部（電池１１）と電気的に接続させて前記パイプ３内に設けてある。
【００１８】
この実施の形態では、図１（ｂ）、図２に詳細に示すように、所定部に接続した適当な太さの導線５１ａ，５１ｂをパイプ３内に長手方向に向けて設けてある。そして、各発光ダイオード５ａ…５ｎは、一方のリード線５３ａを一方の導線５１ａに半田付け等により結線されていると共に他方のリード線５３ｂを他方の導線５１ｂに半田付け等により結線して並列に配設されている。これにより、スイッチ２２ａを閉成（ＯＮ）すると前記各発光ダイオード５ａ…５ｎを同時に点滅させ、また、スイッチ２２ｂを閉成（ＯＮ）すると前記各発光ダイオード５ａ…５ｎを同時に連続点灯させるように構成されている。前記点滅・点灯の切替はスイッチボタン２４を押動操作して行なう。
なお、上記の場合において、スイッチ２２ｂを閉成すると、後述する第２の発光ダイオード７も第１の発光ダイオード５ａ…５ｎと同時に連続点灯させるように構成してある。図１（ｂ）において、５４は硬質プラスチック等の絶縁材で構成され、両導線５１ａ，５１ｂの先端をそれぞれ係合支持させて設けた支持部材である。この支持部材５４は、合図灯の使用時に両導線５１ａ，５１ｂの横揺れ等を防止するために設けたものである。
【００１９】
警笛用高音発生器６は、通電させることにより高く（強く）響く音を発生する高音発生器で構成されている。この高音発生器６の種類や形式等は特に限定するものではない。例えば電子音を発生する電子発振式の高音発生器等を採用することができる。
【００２０】
前記高音発生器６は、第２のスイッチ２３を介して前記電源部（電池１１）と電気的に接続させて蓋部４内又は前記パイプ３内の先端部に設けられている。この実施の形態では、前記パイプ３の先端に嵌合した蓋部４の嵌合部に位置させて取付体６１を設け、この取付体６１に固定して取付けた例が開示されている。また、前記高音発生器６は前記パイプ３内に配線した被覆電線６２の導線６２ａ，６２ｂ（図６参照）により第２のスイッチ２３を介して電源部（電池１１）と電気的に接続した例が開示されている。これにより、スイッチボタン２５を押動操作して第２のスイッチ２３を閉成（ＯＮ）することにより、高音発生器６から高音（警笛音）を発生する。この警笛音は蓋部４の音放出孔４１を通して外部へ放出される。
前記警笛音は第１のスイッチのＯＮ・ＯＦＦとは関係なく、第２のスイッチを閉成している間中単独で継続して発生する。そして、スイッチボタン２５の押動を解除して第２のスイッチ２３を開成（ＯＦＦ）することにより、音の発生を停止するように構成されている。
【００２１】
この実施の形態の合図灯は、１個又は複数個（２〜３個程度）の第２の発光ダイオード７を、さらに備えている。第２の発光ダイオード７は免許証の確認作業等の際に照明用等として使用するもので、この実施の形態では白色ないし白色系の光を放射する白色光発光ダイオード（白色ＬＥＤ）を採用している。第２の発光ダイオード７は、電子制御回路２１及び第１のスイッチ２２を介して前記電源部（電池１１）と電気的に接続させて前記筒部２の適当部に設けられ、筒部２外に向けて光を照射させるように配置構成してある。
【００２２】
この実施の形態の第２の発光ダイオード７は筒部２内に配線した被覆電線７１の導線７１ａ，７１ｂ（図６参照）により前記回路２１及び第１のスイッチ２２を介して電源部（電池１１）と電気的に接続されている。そして、スイッチボタン２４を押動操作して連続点灯用スイッチ２２ｂを閉成（ＯＮ）することにより、第１の発光ダイオード５ａ…５ｎと同時に連続点灯させるように構成してある。７２は透明硬質プラスチック等で構成され、第２の発光ダイオード７の部位に位置させて筒部２の外壁部に固定して設けた保護キャップを示す。
この実施の形態の構成を採用すると、懐中電灯等を使用しなくても、第２の発光ダイオード７から照射される光の照明により免許証の確認作業等を容易に行なうことができる。
なお、実施の形態では、第２の発光ダイオード７として、上述したように白色ＬＥＤを採用しているが、これは一例として開示したもので、上記に限定するものではない。例えば、白色ＬＥＤに代え、ライトブルー系や黄色系その他の輝度が高い（照明度が高い）光を放射する有色光発光ダイオードを採用することもできる。
【００２３】
実施の形態の合図灯は上記のように構成され、従来と同様にグリップを手で握って使用するものである。そして、スイッチボタン２４を操作して、点滅用スイッチ２２ａをＯＮ（閉成）して第１の各発光ダイオード５ａ…５ｎを点滅させ、車両を停止させ、或いは誘導する等、合図して指示する。
また、免許証の確認作業等を行なう際には、スイッチボタン２４を操作して、連続点灯用スイッチ２２ｂをＯＮ（閉成）して第２の各発光ダイオード７を点灯（この時、第１の発光ダイオードも同時に点灯）し、この光を照明用として使用する。さらにまた、警笛が必要な際には、スイッチボタン２５を操作し、第２のスイッチ２３をＯＮ（閉成）して高音発生器６から警笛音を発信して通報する。
【００２４】
なお、上記した実施の形態は一例として開示したもので、本考案は上記の実施の形態に限定されるものではなく、実用新案登録請求の範囲に記載の技術思想を越脱しない範囲内において任意に変更可能なものである。
【図面の簡単な説明】
【００２５】
【図１】本考案の合図灯の一実施の形態を示す図であって、同図（ａ）は全体構成の概要を示す側面図、同図（ｂ）は一部を拡大して示す縦断面図である。
【図２】同上合図灯の基端部側の部分を拡大し、一部を断面で示す側面図である。
【図３】図１（ｂ）の拡大断面図である。
【図４】同上合図灯に採用されている蓋部の一例を示す正面図である。
【図５】同上合図灯に採用されている第１の発光ダイオードの一例を示す側面図である。
【図６】同上合図灯に採用されている回路図の一例を示す説明図である。
【符号の説明】
【００２６】
１      グリップ
２      取付筒部
３      合図灯用透光性パイプ
４      蓋部
５ａ…５ｎ    第１の発光ダイオード
６      警笛用高音発生器
１１    電池
１２    電池収容部
２２    第１のスイッチ
２３    第２のスイッチ
２４    スイッチボタン
２５    スイッチボタン
４１    音放出孔
【図１】
0003122129.tif 000003
【図２】
0003122129.tif 000004
【図３】
0003122129.tif 000005
【図４】
0003122129.tif 000006
【図５】
0003122129.tif 000007
【図６】
0003122129.tif 000008